(57)【要約】【課題】見栄えよくかつ信頼性高く電子機器を保持すること。【解決手段】実施形態に係る電子機器の保持構造は、意匠部と、保持部とを備える。意匠部は、外部へ向けた意匠面が形成される。保持部は、電子機器を保持する部材であって、意匠部に対しかかる意匠部の幅方向に略平行な回転軸まわりに回転することによって、電子機器を意匠部の内部へ収納可能に設けられる。【選択図】図１
2020026241.tif 000002
【特許請求の範囲】
【請求項１】
外部へ向けた意匠面が形成される意匠部と、
電子機器を保持する部材であって、前記意匠部に対し該意匠部の幅方向に略平行な回転軸まわりに回転することによって、電子機器を前記意匠部の内部へ収納可能に設けられた保持部と
を備えることを特徴とする電子機器の保持構造。
【請求項２】
電子機器が前記保持部によって前記意匠部の内部へ収納された場合に、前記保持部をロックするロック機構
をさらに備えることを特徴とする請求項１に記載の電子機器の保持構造。
【請求項３】
前記保持部は、
前記意匠部に対し閉じた状態において、開く方向に常に付勢力が作用するように設けられている
ことを特徴とする請求項１または２に記載の電子機器の保持構造。
【請求項４】
前記保持部は、
電子機器と接触する部位にテーパ面を有し、電子機器を側方から挟み付ける１対の挟持部
を備えることを特徴とする請求項１、２または３に記載の電子機器の保持構造。
【請求項５】
前記保持部は、
電子機器を保持した場合に電子機器の操作部に対応する部位に開口部が形成されている
ことを特徴とする請求項１〜４のいずれか一つに記載の電子機器の保持構造。
【請求項６】
電子機器が前記保持部に保持された状態において、電子機器を前記保持部の前面へ押し付ける向きの付勢力を作用させる付勢部材
をさらに備えることを特徴とする請求項１〜５のいずれか一つに記載の電子機器の保持構造。
【請求項７】
前記意匠部の角度を変更する角度変更機構
をさらに備えることを特徴とする請求項１〜６のいずれか一つに記載の電子機器の保持構造。
【発明の詳細な説明】
【技術分野】
【０００１】
開示の実施形態は、電子機器の保持構造に関する。
【背景技術】
【０００２】
従来、スマートフォンやタブレットといった携帯型の電子機器を車室内に取り付けて各種アプリを起動させ、たとえばカーナビゲーション装置として利用することが知られている。また、かかる場合に電子機器を保持するための保持構造が各種提案されている。
【０００３】
たとえば、特許文献１には、車両のダッシュボード上などに固定された取付ベースから延びるアーム部の先端部において、挟持部材により挟み付けることによって携帯機器を保持する自動車用携帯機器ホルダが開示されている。
【先行技術文献】
【特許文献】
【０００４】
【特許文献１】特開２０１３−２５６２４０号公報
【発明の概要】
【発明が解決しようとする課題】
【０００５】
しかしながら、上述した従来技術には、見栄えよくかつ信頼性高く電子機器を保持するうえで、さらなる改善の余地がある。
【０００６】
ここに言う見栄えよくとは、たとえば近年嗜好するユーザの多いフローティングデザインやフラットデザイン等を実現可能であることを指す。
【０００７】
また、ここに言う信頼性高くとは、たとえば事故時に搭乗者を傷つけないように内装部品形状に設けられている安全基準（たとえばＥＣＥ２１）を満たしていたり、悪路走行時のガタつきを抑えられたり、電子機器の盗難を防止できたりすることを指す。
【０００８】
なお、こうした点は、車載用に限らず、たとえばユーザの手が塞がっている状況等で、電子機器をユーザへ向けて保持する必要のあるケース全般に共通する課題である。
【０００９】
実施形態の一態様は、上記に鑑みてなされたものであって、見栄えよくかつ信頼性高く電子機器を保持することができる電子機器の保持構造を提供することを目的とする。
【課題を解決するための手段】
【００１０】
実施形態の一態様に係る電子機器の保持構造は、意匠部と、保持部とを備える。前記意匠部は、外部へ向けた意匠面が形成される。前記保持部は、電子機器を保持する部材であって、前記意匠部に対し該意匠部の幅方向に略平行な回転軸まわりに回転することによって、電子機器を前記意匠部の内部へ収納可能に設けられる。
【発明の効果】
【００１１】
実施形態の一態様によれば、見栄えよくかつ信頼性高く電子機器を保持することができる。
【図面の簡単な説明】
【００１２】
【図１】図１は、実施形態に係るスマートフォンの保持構造の概要を示すオーディオ装置の斜視模式図である。
【図２】図２は、実施形態に係るスマートフォンの保持構造の動作説明図（その１）である。
【図３】図３は、実施形態に係るスマートフォンの保持構造の動作説明図（その２）である。
【図４】図４は、実施形態に係るスマートフォンの保持構造の動作説明図（その３）である。
【図５】図５は、実施形態に係るスマートフォンの保持構造の動作説明図（その４）である。
【図６】図６は、実施形態に係るスマートフォンの保持構造の動作説明図（その５）である。
【図７】図７は、保持部によるスマートフォンの固定構造の概要を示す斜視模式図である。
【図８】図８は、保持部によるスマートフォンの固定構造の動作説明図（その１）である。
【図９】図９は、保持部によるスマートフォンの固定構造の動作説明図（その２）である。
【図１０】図１０は、保持部によるスマートフォンの固定構造の動作説明図（その３）である。
【図１１】図１１は、保持部によるスマートフォンの固定構造の動作説明図（その４）である。
【図１２】図１２は、保持部によるスマートフォンの固定構造の動作説明図（その５）である。
【図１３】図１３は、保持部による変形例に係るスマートフォンの固定構造の動作説明図である。
【図１４】図１４は、第１変形例に係るタブレットの保持構造の動作説明図（その１）である。
【図１５】図１５は、第１変形例に係るタブレットの保持構造の動作説明図（その２）である。
【図１６】図１６は、第２変形例に係るタブレットＴの保持構造の概要を示す側面模式図である。
【発明を実施するための形態】
【００１３】
以下、添付図面を参照して、本願の開示する電子機器の保持構造の実施形態を詳細に説明する。なお、以下に示す実施形態によりこの発明が限定されるものではない。
【００１４】
また、以下では、電子機器がスマートフォン（以下、「スマホＳＰ」と言う）であり、かかるスマホＳＰの保持構造が車両に搭載されたオーディオ装置１０に設けられる場合を主たる例に挙げて説明を行う。
【００１５】
また、以下の説明に用いる各図面には、説明を分かりやすくするために、鉛直上向きを正方向とするＺ軸を含む３次元の直交座標系を図示する場合がある。
【００１６】
図１は、実施形態に係るスマホＳＰの保持構造の概要を示すオーディオ装置１０の斜視模式図である。図１に示すように、実施形態に係るオーディオ装置１０は、意匠部１１と、本体部１２とを備える。意匠部１１は、車室内に露出する部分であり、本体部１２は車室内に露出しない、いわゆる内機と呼ばれる部分である。すなわち、オーディオ装置１０は、設置面（たとえば、ダッシュボード）の外側に意匠部１１、内側に本体部１２がそれぞれ配置される。
【００１７】
意匠部１１は、たとえば操作ダイヤルや操作ボタンといった操作部１１ａと、ＬＣＤ（Liquid  Crystal  Display）等の表示部１１ｂと、ＵＳＢ（Universal  Serial  Bus）コネクタ１１ｃと、保持部１１ｄとを備える。
【００１８】
保持部１１ｄは、スマホＳＰを保持する部材であり、意匠部１１の幅方向に略平行な回転軸まわりに回転可能に設けられるとともに、かかる回転によってスマホＳＰを意匠部１１の内部へ収納する。
【００１９】
なお、保持部１１ｄは、スマホＳＰの画面や操作ボタンに対応する部位に開口部１１ｄａが形成されており、スマホＳＰが意匠部１１の内部へ収納された状態であっても、ユーザがスマホＳＰを操作可能となるように設けられている。
【００２０】
より具体的に、実施形態に係るスマホＳＰの保持構造の動作について、図２〜図６を用いて説明する。図２〜図６は、実施形態に係るスマホＳＰの保持構造の動作説明図（その１）〜（その５）である。なお、図２〜図６は、オーディオ装置１０をＹ軸の正方向側から視た場合の側面模式図となっている。
【００２１】
図２に示すように、保持部１１ｄは、たとえばヒンジ等を用いて、下端部がＹ軸に略平行な回転軸ａｘＲ１まわりに回転可能に設けられるとともに、かかる回転によって開閉可能に設けられている。また、保持部１１ｄは、上端部側からスマホＳＰを挿し込み可能な形状に形成されている。
【００２２】
そして、ユーザが保持部１１ｄへスマホＳＰを保持させたい場合、たとえばユーザの操作部１１ａへの操作により、保持部１１ｄは開かれる。すなわち図３に示すように、保持部１１ｄは、回転軸ａｘＲ１まわりに回転して開かれる（図中の矢印３０１参照）。
【００２３】
そして、図４に示すように、ユーザが保持部１１ｄへスマホＳＰを挿し込むこととなる（図中の矢印４０１参照）。なお、上述したように、保持部１１ｄには開口部１１ｄａが形成されているため、保持部１１ｄへ挿し込まれた状態でも、スマホＳＰの画面や操作ボタンは外部へ露出している。
【００２４】
そして、図５に示すように、保持部１１ｄは、開いた時とは逆向きに、図５の例では時計回りに回転軸ａｘＲ１まわりに回転して（図中の矢印５０１参照）、スマホＳＰを意匠部１１の内部に収納する。
【００２５】
このようにスマホＳＰを操作可能な状態のまま意匠部１１の内部に収納することによって、スマホＳＰと意匠部１１とを一体化させることができる。すなわち、見栄えをよくすることができる。また、スマホＳＰが保持部１１ｄに保持された状態においても、車室内へ突出する部位を減らすことができ、信頼性を高めることができる。
【００２６】
また、図６に示すように、保持部１１ｄが閉じたならば、図中のＭ１部に示すように、保持部１１ｄにたとえば電磁ロック１１ｅがかかるように構成されてもよい。これにより、意匠部１１の内部に収納されたままのスマホＳＰの盗難を防止することが可能となる。したがって、信頼性高くスマホＳＰを保持することができる。
【００２７】
なお、保持部１１ｄは、たとえばバネ等を用いて、閉じた状態において開く方向に常に付勢力が作用するように設けられている。これにより、ガタつきを抑え、さらに信頼性を高めることができる。
【００２８】
次に、図７は、保持部１１ｄによるスマホＳＰの固定構造の概要を示す斜視模式図である。図７に示すように、保持部１１ｄは、既に述べた開口部１１ｄａと、１対の挟持部１１ｄｂと、載置部１１ｄｃとを有する。挟持部１１ｄｂは、スマホＳＰを側方から挟み付ける。載置部１１ｄｃは、スマホＳＰが載置される。
【００２９】
また、保持部１１ｄは、既に述べたように、下端部において回転軸ａｘＲ１まわりに回転可能に設けられている。
【００３０】
そして、保持部１１ｄは、たとえばかかる回転軸ａｘＲ１まわりの回転に応じて、１対の挟持部１１ｄｂを開閉動作させることができる（図中の矢印７０１参照）。また、保持部１１ｄは、たとえばスマホＳＰの着脱に応じて（図中の矢印７０２参照）、同じく１対の挟持部１１ｄｂを開閉動作させることができる。そして、かかる開閉動作により、スマホＳＰを位置決めし、固定することができる。
【００３１】
この点について、図８〜図１２を用いてより具体的に説明する。図８〜図１２は、保持部１１ｄによるスマホＳＰの固定構造の動作説明図（その１）〜（その５）である。
【００３２】
図８に示すように、１対の挟持部１１ｄｂは、保持部１１ｄが開く「オープン時」においては、回転軸ａｘＲ１まわりの回転角度に応じて、載置部１１ｄｃに対しスライドすることによって開かれるように設けられる（図中の矢印８０１参照）。
【００３３】
なお、図中のＭ２部に示すように、１対の挟持部１１ｄｂはテーパ面ＤＴを有する。テーパ面ＤＴは、１対の挟持部１１ｄｂがスマホＳＰの角部と接触することとなる部位に設けられている。
【００３４】
このような構造において、図９に示すように、保持部１１ｄが閉じる「クローズ時」においては、１対の挟持部１１ｄｂは、回転軸ａｘＲ１まわりの回転角度に応じて、載置部１１ｄｃに対しスライドし、閉じることとなる（図中の矢印９０１参照）。
【００３５】
そして、このとき、１対の挟持部１１ｄｂは、テーパ面ＤＴでスマホＳＰの角部と当接しつつ閉じられる。これにより、スマホＳＰを適正な位置へセンタリングさせることができる。
【００３６】
なお、図８および図９では、１対の挟持部１１ｄｂが載置部１１ｄｃに対しスライドする例を挙げたが、たとえば図１０に示すように、１対の挟持部１１ｄｂを載置部１１ｄｃに対し回転させて開閉させてもよい。
【００３７】
かかる例の場合、具体的には、図１０に示すように、１対の挟持部１１ｄｂはそれぞれ下端部において、回転軸ａｘＲ１と略直交する回転軸ａｘＲ２まわりに回転可能に設けられ、たとえば保持部１１ｄが開く「オープン時」においては、回転軸ａｘＲ１まわりの回転角度に応じて回転軸ａｘＲ２まわりに回転し、開かれる（図中の矢印１００１参照）。
【００３８】
また、図示していないが、保持部１１ｄが閉じる「クローズ時」においては、図１０の例とは逆向きに回転し、閉じることとなる。このとき、１対の挟持部１１ｄｂは、テーパ面ＤＴでスマホＳＰの角部と当接しつつ閉じられるので、図９に示したのと同様に、スマホＳＰを適正な位置へセンタリングさせることができる。なお、図１０に示した例は、スマホＳＰのサイズが決まっている場合等に有用である。
【００３９】
また、図１１に示すように、挟持部１１ｄｂは、テーパ面ＤＴだけでなく、図中のＭ３部に示すように、テーパ面ＤＴの上方にテーパ面ＤＴとは逆向きの勾配を有するテーパ面ＵＴを有していてもよい。
【００４０】
かかる場合、図１２に示すように、たとえばスマホＳＰの保持部１１ｄへの「挿し込み時」において、テーパ面ＵＴがスマホＳＰをガイドしつつ挿し込ませることが可能となる。また、このとき１対の挟持部１１ｄｂは、スマホＳＰの挿し込み量に応じて回転軸ａｘＲ２まわりに回転し、開かれる（図中の矢印１２０１参照）。
【００４１】
そして、スマホＳＰ全体が保持部１１ｄに挿し込まれた後は、図９に示したのと同様に、スマホＳＰはテーパ面ＤＴによりセンタリングされることとなる。
【００４２】
図８〜図１２を用いて説明してきたこのような構造により、スマホＳＰを適正な位置へ位置決めし、固定することができる。
【００４３】
ところで、図８〜図１２を用いた説明では、１対の挟持部１１ｄｂが、スマホＳＰの側方からスマホＳＰを挟み付けることにより、スマホＳＰを保持部１１ｄ内で固定する場合について説明したが、スマホＳＰを背面側から付勢するようにしてもよい。
【００４４】
図１３は、保持部１１ｄによる変形例に係るスマホＳＰの固定構造の動作説明図である。図１３に示す例では、保持部１１ｄは、背面パネル１１ｄｄを備える。背面パネル１１ｄｄは、スマホＳＰが保持部１１ｄに挿し込まれた状態において、たとえばバネ等により、スマホＳＰの背面へ、スマホＳＰを保持部１１ｄの前面へ押し付ける向きの付勢力を作用させるように設けられる（図中の矢印１３０１参照）。これにより、スマホＳＰのガタつきを抑えることができる。
【００４５】
また、背面パネル１１ｄｄを用いた場合、スマホＳＰを保持部１１ｄの前面へ密着させることができるので、保持部１１ｄに飛散防止フィルムＦを設けてもよい。かかる場合、スマホＳＰの操作性は保ちつつ、事故等に際してはスマホＳＰの画面が割れて飛散するのを防止することが可能となる。すなわち、信頼性高くスマホＳＰを保持することができる。
【００４６】
（第１変形例）
ところで、これまでは、保持部１１ｄがスマホＳＰを保持した状態でスマホＳＰを意匠部１１の内部へ収納する場合を例に挙げたが、たとえばタブレット等、意匠部１１の内部に収納できないサイズの電子機器を保持する場合がありうる。かかる場合の変形例を第１変形例として、図１４および図１５を用いて説明する。なお、ここでは、保持部１１ｄが保持する電子機器がタブレットＴであるものとする。
【００４７】
図１４および図１５は、第１変形例に係るタブレットＴの保持構造の動作説明図（その１）および（その２）である。
【００４８】
第１変形例に係るタブレットＴの保持構造は、意匠部１１の内部に収納できないタブレットＴを保持する場合、たとえば意匠部１１をチルトさせることによって、保持部１１ｄで保持されたタブレットＴを見やすく操作しやすい角度に調整する。
【００４９】
具体的には、図１４に示すように、まず保持部１１ｄをこれまでと同様に開かせ（図中の矢印１４０１参照）、ユーザにタブレットＴを保持部１１ｄへ挿し込ませる。このとき、図１５に示すように、保持部１１ｄの「オープン時」においては、１対の挟持部１１ｄｂが、たとえば載置部１１ｄｃの長さ寸法よりも大きく開くように設けられておくことで（図中の矢印１５０１参照）、タブレットＴを保持部１１ｄへ挿し込ませることができる。
【００５０】
たとえば、図１５に示すように、１対の挟持部１１ｄｂがそれぞれ、交差する２つのアーム部材の端部に接続され、これらアーム部材はバネ等により同一軸上において引き合うように設けられておくものとする（図中の矢印１５０２参照）。
【００５１】
そして、たとえば、タブレットＴを保持部１１ｄへ保持させるに際して、ユーザが保持部１１ｄの「オープン時」に、互いに引き合うアーム部材に抗して１対の挟持部１１ｄｂを開き、その間にタブレットＴを載置して１対の挟持部１１ｄｂを閉じることによって、タブレットＴを保持部１１ｄへ保持させることができる。
【００５２】
なお、ユーザが１対の挟持部１１ｄｂを開閉するのではなく、回転軸ａｘＲ１まわりの回転角度に応じて、機械的に１対の挟持部１１ｄｂを載置部１１ｄｃの長さ寸法よりも大きいストローク長で開閉させることとしてもよい。
【００５３】
図１４の説明に戻る。そして、第１変形例に係るタブレットＴの保持構造は、タブレットＴが保持部１１ｄによって保持されたならば、たとえばチルトアーム２０を前進させることによって、意匠部１１の傾きを変更する（図中の矢印１４０２，１４０３参照）。これにより、保持部１１ｄで保持されたタブレットＴを、見やすく操作しやすい角度に調整することができる。
【００５４】
なお、ここでは、タブレットＴが保持部１１ｄによって保持された後で、意匠部１１をチルトさせる例を挙げたが、タブレットＴを保持部１１ｄに挿し込みやすい角度となるように、意匠部１１の方を先にチルトさせておいてもよい。
【００５５】
（第２変形例）
ところで、図示は略しているが、保持部１１ｄにおけるスマホＳＰやタブレットＴの有無を検知する検知部を備えることとしたうえで、かかる検知部による検知結果を利用することとしてもよい。
【００５６】
たとえば、既に図６に示した例は、保持部１１ｄが閉じ、かつ、上述の検知部により保持部１１ｄの内部にスマホＳＰがあることが検知された場合に、電磁ロック１１ｅがかかるように構成されてもよい。これにより、意匠部１１の内部に収納されたままのスマホＳＰの盗難を防止することが可能となる。
【００５７】
また、その検知結果を別の手段に利用することができる。図１６は、第２変形例に係るタブレットＴの保持構造の概要を示す側面模式図である。なお、ここではタブレットＴは、スマホＳＰに読み替えてもよい。
【００５８】
図１６に示すように、第２変形例に係るタブレットＴの保持構造は、たとえば保持部１１ｄの背面側にワイヤレス充電器１１ｄｅを備える。ワイヤレス充電器１１ｄｅは、上述の検知部によりタブレットＴが保持部１１ｄに有ることが検知されたならば、タブレットＴのワイヤレス充電を開始する。
【００５９】
これにより、充電コードが不要となるので、充電時における見栄えをよくすることができる。
【００６０】
上述してきたように、実施形態に係るスマホＳＰ（「電子機器」の一例に相当）の保持構造は、意匠部１１と、保持部１１ｄとを備える。意匠部１１は、外部へ向けた意匠面が形成される。保持部１１ｄは、スマホＳＰを保持する部材であって、意匠部に対しかかる意匠部１１の幅方向に略平行な回転軸ａｘＲ１まわりに回転することによって、スマホＳＰを意匠部１１の内部へ収納可能に設けられる。
【００６１】
したがって、実施形態に係るスマホＳＰの保持構造によれば、見栄えよくかつ信頼性高くスマホＳＰを保持することができる。
【００６２】
また、実施形態に係るスマホＳＰの保持構造は、スマホＳＰが保持部１１ｄによって意匠部１１の内部へ収納された場合に、保持部１１ｄをロックする電磁ロック（「ロック機構」の一例に相当）をさらに備える。したがって、実施形態に係るスマホＳＰの保持構造によれば、意匠部１１の内部に収納されたままのスマホＳＰの盗難を防止することが可能となり、信頼性高くスマホＳＰを保持することができる。
【００６３】
また、保持部１１ｄは、意匠部１１に対し閉じた状態において、開く方向に常に付勢力が作用するように設けられている。したがって、実施形態に係るスマホＳＰの保持構造によれば、ガタつきを抑えることができる。
【００６４】
また、保持部１１ｄは、スマホＳＰと接触する部位にテーパ面ＤＴ，ＵＴを有し、スマホＳＰを側方から挟み付ける１対の挟持部１１ｄｂを備える。したがって、実施形態に係るスマホＳＰの保持構造によれば、保持部１１ｄにおいてスマホＳＰを適正な位置へ位置決めし、固定することができる。
【００６５】
また、保持部１１ｄは、スマホＳＰを保持した場合にスマホＳＰの操作部に対応する部位に開口部１１ｄａが形成されている。したがって、実施形態に係るスマホＳＰの保持構造によれば、スマホＳＰが意匠部１１の内部へ収納された状態にあっても、スマホＳＰを操作可能とすることができる。
【００６６】
また、実施形態に係るスマホＳＰの保持構造は、スマホＳＰが保持部１１ｄに保持された状態において、スマホＳＰを保持部１１ｄの前面へ押し付ける向きの付勢力を作用させる背面パネル１１ｄｄ（「付勢部材」の一例に相当）をさらに備える。したがって、実施形態に係るスマホＳＰの保持構造によれば、スマホＳＰのガタつきを抑えつつ、ユーザに視認性よくかつ操作性高く、スマホＳＰを操作させることができる。
【００６７】
また、実施形態に係るスマホＳＰの保持構造は、意匠部１１の角度を変更するチルトアーム２０（「角度変更機構」の一例に相当）をさらに備える。したがって、実施形態に係るスマホＳＰの保持構造によれば、保持部１１ｄの角度を、ユーザが見やすく操作しやすい角度に調整することができる。
【００６８】
なお、上述した実施形態では、スマホＳＰの保持構造が車両に搭載されたオーディオ装置１０に設けられる場合を例に挙げたが、オーディオ装置１０に限らず、車両に搭載された他の装置であってもよい。また、車両に搭載された装置に限らなくともよい。
【００６９】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００７０】
１０    オーディオ装置
１１    意匠部
１１ｄ  保持部
１１ｄａ  開口部
１１ｄｂ  挟持部
１１ｄｃ  載置部
１１ｄｄ  背面パネル
１１ｄｅ  ワイヤレス充電器
１１ｅ  電磁ロック
１２    本体部
２０    チルトアーム
ＤＴ，ＵＴ  テーパ面
ＳＰ    スマホ
Ｔ      タブレット
ａｘＲ１，ａｘＲ２  回転軸
【図１】
2020026241.tif 000003
【図２】
2020026241.tif 000004
【図３】
2020026241.tif 000005
【図４】
2020026241.tif 000006
【図５】
2020026241.tif 000007
【図６】
2020026241.tif 000008
【図７】
2020026241.tif 000009
【図８】
2020026241.tif 000010
【図９】
2020026241.tif 000011
【図１０】
2020026241.tif 000012
【図１１】
2020026241.tif 000013
【図１２】
2020026241.tif 000014
【図１３】
2020026241.tif 000015
【図１４】
2020026241.tif 000016
【図１５】
2020026241.tif 000017
【図１６】
2020026241.tif 000018